(57)【特許請求の範囲】
【請求項１】
被清掃面に付着した塵埃等を清掃する為に使用する清掃ブラシにおいて、ブラシ片は、中央部が芯線と概コ字形状の帯状体により挟み付けられて折り込まれているとともに、少なくとも一方の先端部には、多数の斜面を有する切頭形状部を有し、該切頭形状部には、歯切形状又は凹凸形状の溝部が形成されてあるとともに、該切頭形状部が被清掃面へ接触するように密集かつ連続的に形成されてあることを特徴とする清掃ブラシ。
【発明の詳細な説明】
【技術分野】
【０００１】
本発明は、被清掃面に付着した塵埃等を清掃する為に使用する清掃ブラシに関するものである。
【背景技術】
【０００２】
被清掃面に付着した塵埃等を清掃する為に使用する清掃ブラシに関しては、種々のものがある。例えば、一部の毛先を他の毛先よりも突出するようにフィラメントをブラシヘッドに植毛する工程と、この植毛工程の後にフィラメントの少なくとも突出した毛先をテーパ状に加工する工程とを含む技術が、歯ブラシの製造方法として、特許文献１に開示されている。また、円形、楕円形あるいは方形に開口した吸込口、該吸込口周りに設けられた多数の植毛ブラシ、前記吸込口の反対側に設けた電気掃除機の延長管と接続する接続管、前記吸込口から前記接続管まで通じる通路より成る電気掃除機用吸込具において、前記植毛ブラシの毛丈が吸込口側が短く、吸込具外周側が長い構造を有すると共に、吸込具外周側の先端がテーパ状に細くなっている構造を有する技術が、掃除機用吸込具として、特許文献２に開示されている。
【０００３】
従来のブラシは、上記の如くの開示がなされているが、特許文献１のものにおいては、所定量のフィラメントを、一部の毛先を他の毛先よりも突出するように、ブラシヘッドに形成された植毛穴に対して、一穴毎に、植毛する必要があった。また、植毛工程の後に、フィラメントの少なくとも突出した毛先を、テーパ状に加工する必要があった。その為、製造工程が複雑で、かつ製造時間が多大になり、製品コストが増加するという課題を有していた。
【０００４】
また、特許文献２のものにおいては、吸込口周りに設けられた多数の植毛穴に対して、ブラシの毛丈が吸込口側が短く、吸込具外周側が長くなるように、一穴毎に、植毛角度を調整して、植毛する必要があった。その為、吸込口周りに対して、ブラシを連続的、あるいは密集させて、迅速に、植毛する事ができないという課題を有していた。
【０００５】
【特許文献１】特開２００３−９９５３号公報
【特許文献２】特開平１１−２６２４１２号公報
【発明の開示】
【発明が解決しようとする課題】
【０００６】
本発明は、上記のような課題を解決するためになされたもので、製造工程が簡易で、かつ製造時間を短縮でき、製品コストを安価にする事ができると共に、ブラシを連続的、あるいは密集させて植毛する事ができ、床面等の被清掃面に、微細な各種粉体が付着している場合においても、清掃残りが発生することが無く、別作業にて、雑巾あるいは湿式の不織布等で拭き取る必要が無く、かつ、床面等の被清掃面を、光沢が発生するように磨き上げることが出来るという清掃効果が極めて高いブラシ片を有する清掃ブラシを提供することを目的としている。
【課題を解決するための手段】
【０００７】
本発明にかかる清掃ブラシは、次のように構成したものである。
すなわち、請求項１の発明では、被清掃面に付着した塵埃等を清掃する為に使用する清掃ブラシにおいて、ブラシ片は、中央部が芯線と概コ字形状の帯状体により挟み付けられて折り込まれているとともに、少なくとも一方の先端部には、多数の斜面を有する切頭形状部を有し、該切頭形状部には、歯切形状又は凹凸形状の溝部が形成されてあるとともに、該切頭形状部が被清掃面へ接触するように密集かつ連続的に形成されてあることを特徴としている。
【発明の効果】
【０００９】
本願発明の清掃ブラシは、ブラシ片は、中央部が芯線と概コ字形状の帯状体により挟み付けられて折り込まれているとともに、少なくとも一方の先端部には、多数の斜面を有する切頭形状部を有し、該切頭形状部には、歯切形状又は凹凸形状の溝部が形成されてあるとともに、該切頭形状部が被清掃面へ接触するように密集かつ連続的に形成されてあるので、被清掃面上に、細い溝部、あるいは深い溝部がある場合であっても、切頭形状部の歯切形状又は凹凸形状の溝部が、細い溝部、あるいは深い溝部に入り込む事により、被清掃面上の細い溝部、あるいは深い溝部に入り込んだ塵埃、ごみ、こびりついた汚れ等を、強力に掻き出すことができ、極めて高い清掃効果を有することができる。
【００１０】
また、ブラシ片は中央部を、帯状体、及び芯線に挟み付けて折り込む製造方法が採用されているので、密集かつ連続的に形成されているブラシ片を有する清掃ブラシを簡便に製造することができる。そして、清掃ブラシの使用時においては、密集かつ連続的に形成されているブラシ片が、被清掃面上の塵埃、ごみ、こびりついた汚れ等を、強力に掻き出すことができ、極めて高い清掃効果を有することができる。
【００１１】
また、ブラシ片は、先端部がテーパ形状であると共に、密集かつ連続的に形成されているので、床面等の被清掃面に、微細な各種粉体が付着している場合においても、清掃残りが発生することが無い。その為、別作業にて、雑巾あるいは湿式の不織布等で拭き取る必要が無い。また、突端を有するテーパ形状部が、床面等の被清掃面に対して、極めて微細に接触することができ、床面等の被清掃面を、光沢が発生するように、磨き上げることが出来る。
【００１２】
さらに、清掃ブラシは、ブラシ片を、帯状体、及び芯線に挟み付けて折り込んで形成されている為、ブラシ片が、帯状体、及び芯線から脱落あるいは位置ずれすることが無い。その為、極めて高い耐久性を有することができる。
【００１４】
また、ブラシ片の先端に平面部を設けた場合は、ブラシ片は、斜面、及び平面部を、被清掃面上に接触させることができるので、被清掃面上に、強固にこびりついた塵埃、ごみ、汚れ等を、強力に掻き出すことができ、極めて高い清掃効果を有することができる。また、ブラシ片の先端に平面部を有している為、切頭形状部の先端部の形状劣化を抑制させることができ、ブラシ片は、高い耐久性を有することができる。
【００１５】
また、ブラシ片に、複数の斜面及び直線状の突端よりなる切頭形状部が形成されている場合においては、ブラシ片は、複数の斜面及び直線状の突端を、被清掃面上に接触させることができるので、複数の斜面を、被清掃面上と塵埃、ごみ、汚れ等の間に、入り込ませて接触させることができ、被清掃面上に、強固にこびりついた塵埃、ごみ、汚れ等を、強力に掻き出すことができる為、極めて高い清掃効果を有することができる。また、ブラシ片は、直線状の突端を有している為、被清掃面上に、強固にこびりついた塵埃、ごみ、汚れ等を、強力に叩きつけることができ、極めて高い清掃効果を、有することができる。
【００１６】
さらにまた、ブラシ片に、斜面、及び複数の突端よりなる切頭形状部が、形成されている場合においては、ブラシ片は、斜面、及び複数の突端を、被清掃面上に強固にこびりついた塵埃、ごみ、汚れ等に対して、同時に接触させることができる。その為、迅速かつ的確に、被清掃面上に、強固にこびりついた塵埃、ごみ、汚れ等を、掻き出すことができ、極めて高い清掃効果を有することができる。
【発明を実施するための最良の形態】
【００１７】
本発明の実施の形態を実施例１として図１から図６に基づいて説明する。図１は、第１の発明の清掃ブラシを前面側から見た斜視図である。図１において、１は清掃ブラシ、２はブラシ片、３は帯状体、４は芯線、５は突端、８はテーパ形状部、５１は溝部である。図２は、図１の清掃ブラシの製造方法を、前面側から見た斜視図である。図２において、９は縦ロール、１９は横ロールである。図３は、第２の発明の実施の形態の清掃ブラシを前面側から見た斜視図である。図３において、７は斜面、１１は清掃ブラシ、１２はブラシ片、１３は帯状体、１４は芯線、１５は突端、２８は切頭形状部、６１は溝部である。図４から図６は、第２の発明の実施の形態のブラシ片の切頭形状部を前面側から見た斜視図である。図４において、６は平面部、１７は斜面、２２はブラシ片、４８は切頭形状部である。図５において、２５は突端、２７、３７は斜面、３２はブラシ片、５８は切頭形状部である。図６において、３５、４５、５５、６５は突端、４２はブラシ片、４７は斜面、６８は切頭形状部である。
【００１８】
清掃ブラシ１は、図１の如く、ブラシ片２、帯状体３、及び芯線４より構成されている。帯状体３は、概コの字形状の溝部５１を有する長尺形状に形成されてあり、ブラシ片２は、芯線４及び帯状体３にて、挟みつけて折り込んで形成されている。また、ブラシ片２の一方の端部には、突端５を有するテーパ形状部８が形成されている。
【００１９】
次に、清掃ブラシ１の製造方法を説明する。まず、図２の如く、長尺の帯状体３に対して、ブラシ片２の中心が、帯状体３の上部になるように、重ね合わせて設置し、縦ロール９を使用して、芯線４にてブラシ片２を挟み付けると共に、芯線４を概コの字形状の帯状体３の溝部５１に、押し込む。次に、帯状体３の両側に形成された横ロール１９を使用して帯状体３を両側から、かしめる。その結果、図１の如く、中央部が帯状体３、及び芯線４に挟み付けられて折り込まれた、密集かつ連続的に形成されているブラシ片２を有する清掃ブラシ１が、形成される。
【００２０】
清掃ブラシ１は、上記の如く、一方の端部に突端５を有するテーパ形状部８が形成されているブラシ片２が、密集かつ連続的に形成されている。その為、被清掃面上に、細い溝部、あるいは深い溝部がある場合であっても、突端５を有するテーパ形状部８が、細い溝部、あるいは探い溝部に入り込む事により、被清掃面上の細い溝部、あるいは深い溝部に入り込んだ塵埃、ごみ、こびりついた汚れ等を、強力に掻き出すことができ、極めて高い清掃効果を有することができる。
【００２１】
また、ブラシ片２を、帯状体３、及び芯線４に挟み付けて折り込む製造方法が採用されている。その為、密集かつ連続的に形成されているブラシ片２を有する清掃ブラシ１を製造することができる。その為、清掃ブラシ１の使用時においては、密集かつ連続的に形成されているブラシ片２が、被清掃面上の塵埃、ごみ、こびりついた汚れ等を、強力に掻き出すことができ、極めて高い清掃効果を有することができる。
【００２２】
また、清掃ブラシ１は、上記の如くの製造方法を採用しているので、清掃ブラシ１の製造を、迅速、正確、かつ安価にできる。
【００２３】
また、清掃ブラシ１に使用されているブラシ片２は、一方の端部に突端５を有するテーパ形状部８が形成されていると共に、密集かつ連続的に形成されている。その為、床面等の被清掃面に、微細な各種粉体が付着している場合においても、清掃残りが発生することが無い。その為、別作業にて、雑巾あるいは湿式の不織布等で拭き取る必要が無い。また、突端５を有するテーパ形状部８が、床面等の被清掃面に対して、極めて微細に接触することができ、床面等の被清掃面を、光沢が発生するように、磨き上げることが出来る。
【００２４】
さらにまた、清掃ブラシ１は、ブラシ片２を、帯状体３、及び芯線４に挟み付けて折り込んで形成されている為、ブラシ片２が、帯状体３、及び芯線４から脱落あるいは位置ずれすることが無い。その為、清掃ブラシ１は、極めて高い耐久性を有することができる。
【００２５】
清掃ブラシ１は、上記の如くの構成となっているが、ブラシ片２の形成状態については、図１に記載の如く、一方の端部に突端５を有するテーパ形状部８が、清掃ブラシ１の長手方向に対して、同一側面側に形成されている状態以外にも、例えば、ブラシ片２を、帯状体３、及び芯線４に挟み付けて折り込む方向を、任意に反対に設定する事により、突端５を有するテーパ形状部８が、清掃ブラシ１の長手方向に対して、両側面側に形成されているように、任意に設定することもできる。また、帯状体３、及び芯線４に挟み付けて折り込むブラシ片２の毛量についても、使用する目的に応じて、任意に設定できる。また、テーパ形状部の先端の詳細形状についても、使用する目的に応じて、例えば、突端の替わりに、平面部、凸球形状、凹球形状、あるいは概球形状等を形成させて、詳細形状を任意に設定できる。
【００２６】
また、帯状体３に使用する材質としては、使用する目的に応じて設定した強度を満足すると共に、概コの字形状の断面を有する長尺形状等を形成可能な材質であるならば、いずれの材質でも使用することができる。例えば、アルミニウム、マグネシウム、鉄、ステンレス、セラミック、又は前記材質の合金、天然繊維、化学繊維、天然樹脂発泡体、合成樹脂発泡体、天然樹脂、合成樹脂、天然ゴム、合成ゴム、木、竹、紙等である。
【００２７】
また、帯状体３に使用する材質に、各種添加材を少なくとも１種類以上添加することもできる。例えば、各種抗菌剤、金属不活性剤、各種金属粉、各種金属繊維、タルク、ウオラスナイト、珪藻土、クレー、カオリン、ケイ酸カルシウム、ガラス粉、石英粉末、シリカ、カーボンブラック等のケイ酸塩、チタン酸カリウム、アルミナ、酸化亜鉛、酸化チタン、酸化鉄等の金属酸化物、炭酸カルシウム、炭酸バリウム等の金属炭酸塩、水酸化マグネシウム、水酸化アルミニウム等の金属水酸化物、カーボン繊維、ガラス繊維、アルミナ繊維、シリカ繊維等の無機質繊維、マイカ、難燃剤、有機あるいは無機顔料等である。
【００２８】
また、芯線４は、断面が丸形の鋼線が使用されているが、芯線４の断面形状については、丸形以外にも、三角、四角、五角、六角等の矩形断面形状、各種異形断面形状等を使用することができる。前記断面形状の芯線を使用した場合には、丸形断面形状の芯線を使用した場合に比べて、帯状体３、及び芯線４に挟み付けられて折り込まれたブラシ片２を、より強く保持することができるので、ブラシ片２の脱落、位置ずれ等を、より防止することができる。また、複数本の鋼線等を撚ることにより形成された撚線を芯線４として使用した場合にも、前記と同様の効果を得ることができる。また、清掃ブラシ１の製造方法についても、前記の如くの製造方法以外にも、ブラシ片２を帯状体３、及び芯線４に挟み付けて折り込むことが可能な方法であるならば、いずれの方法でも採用することができる。
【００２９】
次に、図３にて、請求項２の発明の実施の形態の清掃ブラシを説明する。
清掃ブラシ１１は、図３の如く、ブラシ片１２、帯状体１３、及び芯線１４より構成されている。帯状体１３は、概コの字形状の溝部６１を有する長尺形状に形成されてあり、ブラシ片１２は、芯線１４、及び帯状体１３にて、挟みつけて折り込んで形成されている。また、ブラシ片１２の一方の端部には、斜面７を有する切頭形状部２８が形成されてあり、端部には、突端１５が形成されている。
【００３０】
清掃ブラシ１１は、上記の如くの構成となっているので、清掃ブラシ１１は、一方の端部に、突端１５を有すると共に、斜面７を有する切頭形状部２８が形成されているブラシ片１２が、密集かつ連続的に形成されている。その為、被清掃面上に、強固にこびりついた塵埃、ごみ、汚れ等がある場合であっても、ブラシ片１２に形成されている突端１５、あるいは斜面７が、被清掃面上に接触することにより、被清掃面上に、強固にこびりついた塵埃、ごみ、汚れ等を、強力に掻き出すことができ、極めて高い清掃効果を有することができる。
【００３１】
また、図４から図６を使用して、ブラシ片の種々の切頭形状部を説明する。ブラシ片２２は、図４の如く、ブラシ片２２の切頭形状部４８が、斜面１７、及び平面部６より形成されている。
【００３２】
ブラシ片２２に、斜面１７、及び平面部６よりなる切頭形状部４８が形成されている場合においては、ブラシ片２２は、斜面１７、及び平面部６を、被清掃面上に接触させることができる。その為、被清掃面上に、強固にこびりついた塵埃、ごみ、汚れ等を、強力に掻き出すことができ、極めて高い清掃効果を、有することができる。また、ブラシ片２２は、平面部６を有している為、切頭形状部４８の先端部の形状劣化を抑制させることができ、ブラシ片２２は、高い耐久性を有することができる。
【００３３】
また、ブラシ片３２は、図５の如く、ブラシ片３２の切頭形状部５８が、複数の斜面２７、３７より形成されていると共に、直線状の突端２５が形成されている。
【００３４】
ブラシ片３２に、複数の斜面２７、３７及び直線状の突端２５よりなる切頭形状部５８が形成されている場合においては、ブラシ片３２は、複数の斜面２７、３７及び直線状の突端２５を、被清掃面上に接触させることができる。その為、複数の斜面２７、３７を、被清掃面上と塵埃、ごみ、汚れ等の間に入り込ませて接触させることができ、被清掃面上に、強固にこびりついた塵埃、ごみ、汚れ等を、強力に掻き出すことができる為、極めて高い清掃効果を有することができる。また、ブラシ片３２は、直線状の突端２５を有している為、被清掃面上に、強固にこびりついた塵埃、ごみ、汚れ等を、強力に叩きつけることができ、極めて高い清掃効果を、有することができる。
【００３５】
また、ブラシ片４２は、図６の如く、ブラシ片４２の切頭形状部６８が、斜面４７より形成されていると共に、複数の突端３５、４５、５５、６５が形成されている。また、ブラシ片４２の断面は、該十字形状に形成されている。
【００３６】
ブラシ片４２に、斜面４７、及び複数の突端３５、４５、５５、６５よりなる切頭形状部６８が形成されている場合においては、ブラシ片４２は、斜面４７、及び複数の突端３５、４５、５５、６５を、被清掃面上に強固にこびりついた塵埃、ごみ、汚れ等に対して、同時に、接触させることができる。その為、迅速、かつ的確に、被清掃面上に、強固にこびりついた塵埃、ごみ、汚れ等を、掻き出すことができ、極めて高い清掃効果を有することができる。
【００３７】
清掃ブラシ１１は、上記の如くの構成となっているが、切頭形状部の形状については、使用する目的に応じて、例えば、形成されている斜面数を、３面、４面、５面等の複数面になるように、適時、設定したり、例えば、複数面の斜面と平面部が形成されるように、適時、設定することができる。また、ブラシ片の断面形状についても、上記の如くの該十字形状以外にも、使用する目的に応じて、例えば、該星形形状、該Ｗ字形状等に、適時、設定することができる。さらにまた、ブラシ片の形状についても、中空の筒型形状を、設定することができる。
【００３８】
図７にて実施例２を示す。図７は、清掃ブラシを前面側から見た斜視図である。図７において、１０は段差、１８はテーパ形状部、２１は清掃ブラシ、２３は帯状体、２４は芯線、５２はブラシ片、７１は溝部、７５は突端である。
【００３９】
清掃ブラシ２１は、図７の如く、ブラシ片５２、帯状体２３、及び芯線２４より構成されている。帯状体２３は、概コの字形状の溝部７１を有する長尺形状に形成されてあり、ブラシ片５２は、芯線２４及び帯状体２３にて、挟みつけて折り込んで形成されている。また、ブラシ片５２の一方の端部には、突端７５を有するテーパ形状部１８が形成されてあり、所定の段差１０を有して、他方の端部よりも、毛丈が長くなるように形成されている。
【００４０】
清掃ブラシ２１は、上記の如くの構成となっているので、清掃ブラシ２１は、一方の端部に突端７５を有するテーパ形状部１８が形成されてあり、所定の段差１０を有して、他方の端部よりも、毛丈が長くなるように形成されているブラシ片５２が、密集かつ連続的に形成されている。その為、被清掃面上に対して、密集かつ連続的に形成されている突端７５を有するテーパ形状部１８のみを、接触させることができる。その為、被清掃面上に、微細な塵埃、ごみ、汚れ等がある場合であっても、清掃残り等を発生することが無く、迅速、かつ極めて高い清掃効果を有することができる。また、被清掃面上に対して、テーパ形状部１８の突端７５を、柔軟に接触させることができる為、被清掃面上を傷つける事無く、清掃することができる。
【００４１】
また、清掃ブラシ２１は、他方の端部が、突端７５を有するテーパ形状部１８が形成されている一方の端部に対して、所定の段差１０を有して、毛丈が短くなるように形成されているブラシ片５２が、密集かつ連続的に形成されている。また、所定の段差１０だけ毛丈が短くなるように形成されている他方の端部の毛腰は、突端７５を有するテーパ形状部１８が形成されている一方の端部の毛腰よりも、強く形成される。その為、例えば、突端７５を有するテーパ形状部１８が形成されている一方の端部が、他方の端部を押し倒すように清掃ブラシ２１を使用することにより、他方の端部の毛腰が、突端７５を有するテーパ形状部１８が形成されている一方の端部の毛腰を、補強するように、使用状態を設定することができる。
【００４２】
また、突端７５を有するテーパ形状部１８が形成されている一方の端部が、他方の端部を押し倒さないように清掃ブラシ２１を使用した場合には、突端７５を有するテーパ形状部１８が形成されている一方の端部の毛腰のみの使用状態に、設定することができる。
【００４３】
さらにまた、被清掃面上に対して、接触させる深さを任意に設定することにより、突端７５を有するテーパ形状部１８が形成されている一方の端部のみを接触させたり、一方の端部、及び他方の端部を同時に接触させたりする等、ブラシ片５２の接触状態を、任意に、選択して使用することができる。
【００４４】
清掃ブラシ２１は、上記の如くの構成となっているが、ブラシ片５２の形成状態については、図７に記載の如く、一方の端部に突端７５を有するテーパ形状部１８が、清掃ブラシ２１の長手方向に対して、同一側面側に形成されている状態以外にも、例えば、ブラシ片５２を、帯状体２３、及び芯線２４に挟み付けて折り込む方向を、任意に反対に設定する事により、突端７５を有するテーパ形状部１８が、清掃ブラシ２１の長手方向に対して、両側面側に形成されているように、任意に設定することもできる。また、段差１０についても、使用する目的に応じて、例えば、段差が、清掃ブラシ２１の長手方向に対して、概波形形状を形成するように設定する等、任意に設定できる。さらにまた、清掃ブラシ２１は、他方の端部が、突端７５を有するテーパ形状部１８が形成されている一方の端部に対して、所定の段差１０を有して、毛丈が短くなるように形成されているブラシ片５２が、密集かつ連続的に形成されているが、使用する目的に応じて、例えば、他方の端部が、突端７５を有するテーパ形状部１８が形成されている一方の端部に対して、所定の段差１０を有して、毛丈が長くなるように、ブラシ片５２を形成するように設定することもできる。
【００４５】
図８から図１０にて実施例３を示す。図８は、清掃ブラシを前面側から見た斜視図である。図８において、２０は段差、３１は清掃ブラシ、３３は帯状体、３４は芯線、３８は切頭形状部、４０は斜面溝部、５７は斜面、６２はブラシ片、８１は溝部、８５は突端である。図９は、図８のブラシ片の切頭形状部を前面側から見た拡大斜視図である。図９において、６０は歯切形状である。図１０は、実施例３の他の実施の形態のブラシ片の切頭形状部を前面側から見た拡大斜視図である。図１０において、５０は斜面溝部、６７は斜面、７０は凹凸形状、７２はブラシ片、７８は切頭形状部、９５は突端である。
【００４６】
清掃ブラシ３１は、図８の如く、ブラシ片６２、帯状体３３、及び芯線３４より構成されている。帯状体３３は、概コの字形状の溝部８１を有する長尺形状に形成されてあり、ブラシ片６２は、芯線３４及び帯状体３３にて、挟みつけて折り込んで形成されている。また、ブラシ片６２の一方の端部には、切頭形状部３８が形成されている。切頭形状部３８には、斜面５７が形成されてあり、斜面５７には、斜面溝部４０が形成されている。また、ブラシ片６２は、所定の段差２０を有して、他方の端部よりも、切頭形状部３８が形成されている一方の端部が、毛丈が長くなるように形成されている。また、ブラシ片６２は、図９の如く、切頭形状部３８の斜面溝部４０には、歯切形状６０が形成されている。
【００４７】
清掃ブラシ３１は、上記の如くの構成となっているので、清掃ブラシ３１は、一方の端部に、突端８５を有すると共に、斜面溝部４０に歯切形状６０が形成されている斜面５７を有する切頭形状部３８からなるブラシ片６２が、密集、かつ連続的に形成されている。その為、被清掃面上に、強固にこびりついた塵埃、ごみ、汚れ等がある場合であっても、ブラシ片６２に形成されている突端８５、あるいは斜面５７の斜面溝部４０に形成された歯切形状６０が、被清掃面上に対して、強力、かつ的確に接触することにより、被清掃面上に強固にこびりついた塵埃、ごみ、汚れ等を、強力に掻き出すことができ、清掃ブラシ３１は、極めて高い清掃効果を有することができる。
【００４８】
清掃ブラシ３１は、上記の如くの構成となっているが、斜面溝部４０に歯切形状６０を形成させる製造方法については、例えば、切削刃を回転させて、斜面溝部４０が歯切形状６０になるよう切削する方法を採用したり、歯切形状断面を有する平ベルトを回転させて、斜面溝部４０に歯切形状６０を転写させる方法を採用したりする等、最適な製造方法を、任意に設定できる。
【００４９】
また、図１０を使用して、他のブラシ片の切頭形状部を説明する。ブラシ片７２は、図１０の如く、切頭形状部７８に、斜面６７が形成されてあり、斜面６７には、斜面溝部５０が形成されている。また、ブラシ片７２は、斜面溝部５０に、凹凸形状７０が形成されている。
【００５０】
ブラシ片７２は、上記の如くの構成となっているので、斜面溝部５０に、凹凸形状７０が形成されているブラシ片７２を使用した場合においては、凹凸形状７０の凸部が、被清掃面上に強固にこびりついた塵埃、ごみ、汚れ等を、強力に掻き出すことができると共に、凹凸形状７０の凹部が、被清掃面上の塵埃、ごみ、汚れ等を、保持、あるいは捕捉することができる。その為、被清掃面上に、強固にこびりついた塵埃、ごみ、汚れ等がある場合であっても、清掃残り等を発生することが無く、迅速、かつ極めて高い清掃効果を有することができる。
【００５１】
ブラシ片７２は、上記の如くの構成となっているが、斜面溝部５０の形状については、凹凸形状７０以外にも、例えば、波形形状等使用する目的に応じて、任意に設定できる。
【産業上の利用可能性】
【００５２】
本発明の清掃ブラシは、さまざまな目的に対して使用可能であるが、例えば、極めて微細な塵埃、ごみ、微粉体等が付着した各種床面を清掃する為の清掃ブラシとして使用したり、特殊鋼板、フィルム等の表面の清掃ブラシとして使用したり、半導体ウェハー等の清掃ブラシとして使用したり、自動車、バス、電車、新幹線、航空機等の外壁面用あるいは内壁面用の清掃ブラシとして使用したり、自動車、バス、電車、新幹線、航空機等の洗車機用の清掃ブラシとして使用したり、路面の清掃ブラシとして使用したり、高層、あるいは中低層ビルの外壁面、あるいは内壁面の清掃ブラシとして使用したり、一般家庭用、あるいは業務用の清掃ブラシとして使用したり、例えば、電気掃除機用床ノズルの回転ブラシに使用したり、例えば、化粧ブラシに使用したり、一般家庭用、あるいは業務用の清掃ブラシとして使用する等、被清掃面にたいする清掃効果が極めて高い清掃ブラシとして、広く好適に使用することができる。
【図面の簡単な説明】
【００５３】
【図１】請求項１の発明の実施の形態の清掃ブラシを前面側から見た斜視図である。
【図２】同、図１の清掃ブラシの製造方法を、前面側から見た斜視図である。
【図３】請求項２の発明の実施の形態の清掃ブラシを前面側から見た斜視図である。
【図４】同、ブラシ片の切頭形状部を前面側から見た斜視図である。
【図５】同、別のブラシ片の切頭形状部を前面側から見た斜視図である。
【図６】同、別のブラシ片の切頭形状部を前面側から見た斜視図である。
【図７】実施例２の清掃ブラシを前面側から見た斜視図である。
【図８】実施例３の清掃ブラシを前面側から見た斜視図である。
【図９】図８のブラシ片の切頭形状部を前面側から見た拡大斜視図である。
【図１０】同、別のブラシ片の切頭形状部を前面側から見た拡大斜視図である。
【符号の説明】
【００５４】
１、１１、２１、３１  清掃ブラシ
２、１２、２２、３２、４２  ブラシ片
５２、６２、７２  ブラシ片
３、１３、２３、３３  帯状体 
４、１４、２４、３４  芯線
５、１５、２５、３５、４５、５５  突端
６５、７５、８５、９５  突端 
６ 平面部
７、１７、２７、３７、４７  斜面
５７、６７  斜面
８、１８  テーパ形状部
９  縦ロール 
１０、２０  段差
１９  横ロール
２８、３８、４８、５８、６８、７８ 切頭形状部 
４０、５０  斜面溝部
５１、６１、７１、８１  溝部
６０  歯切形状
７０  凹凸形状
【図１】
0004141412.tif 000002
【図２】
0004141412.tif 000003
【図３】
0004141412.tif 000004
【図４】
0004141412.tif 000005
【図５】
0004141412.tif 000006
【図６】
0004141412.tif 000007
【図７】
0004141412.tif 000008
【図８】
0004141412.tif 000009
【図９】
0004141412.tif 000010
【図１０】
0004141412.tif 000011